(57)【要約】  ＷＬＡＮにおける配信サービスのためのＭＰＥＧ−２トランスポートストリームからＩＰベースＲＴＰ／ＵＤＰ／ＩＰスタックに変換する方法。すべての変換関数は、受信機のトランスコーダ（図２）において実行されるようにしてもよい。ラップトップコンピュータ、携帯電話及びＰＤＡなどのモバイル装置は、限定的な電池パワー、ＣＰＵ処理及びメモリリソースしか持たない。これらの装置におけるＣＰＵ処理パワー及び消費電池電力を低減するため、ローカルレベルでの再送のため、典型的にＭＰＥＧ−２を提供するデマルチプレクサ機能などのデータ処理昨日が通信システムにおいて実現される。ＭＰＥＧ−２トランスポートストリームを逆多重化可能なトランスコーダがプログラムを受信するとき、それは各トランスポートパケットに割当てられたＰＩＤに基づきストリームを逆多重化する。この逆多重化昨日は、トランスポートストリームからプログラムに関連する映像及び音声ＰＥＳ／ＥＳ、ＰＳＩ及びＰＭＴの複数のコンポーネントを抽出する。
2007525038.tif 000002
【特許請求の範囲】
【請求項１】
音声及び映像データを無線により送受信する装置であって、
少なくとも１つのＰＩＤと関連するＰＳＩとから構成され、ＰＡＴ、ＰＭＴ、ＣＡＴ及びＮＩＴを含む各パケットにフォーマット化されたデータを有する送信ストリームを受信する手段と、
一意的なトランスポートパケットへの１以上のＰＩＤの割当てに基づき、前記ＰＳＩを逆多重化する手段と、
ＲＴＰデータフローに従って、前記ＰＳＩを再構成する手段と、
前記ＲＴＰデータフローを対応するマルチキャストアドレスを有する１以上のＩＰパケットにカプセル化する手段と、
前記再構成されたトランスポートストリームを通信する手段と、
から構成されることを特徴とする装置。
【請求項２】
請求項１記載の無線装置であって、
前記通信する手段は、ＷＬＡＮから構成されることを特徴とする装置。
【請求項３】
請求項１記載の無線装置であって、
前記ＰＳＩを再構成する手段は、関連する各ＰＭＴのマルチキャストＩＰアドレスを挿入する手段を有することを特徴とする装置。
【請求項４】
請求項３記載の無線装置であって、
前記ＰＭＴは、前記マルチキャストＩＰアドレスによりアドレス指定されるプログラムを指示することを特徴とする装置。
【請求項５】
請求項３記載の無線装置であって、
前記関連する各ＰＭＴのマルチキャストＩＰアドレスを挿入する手段は、ＣＲＣを計算する手段を有することを特徴とする装置。
【請求項６】
請求項３記載の無線装置であって、
前記ＰＳＩは、前記マルチキャストＩＰアドレスが格納される記述子フィールドを含むことを特徴とする装置。
【請求項７】
請求項３記載の無線装置であって、
前記ＰＳＩは、前記ＰＡＴと前記ＰＭＴから再生成されることを特徴とする装置。
【請求項８】
請求項１記載の無線装置であって、
前記ＰＳＩは、該ＰＳＩが前の送信から不変であることを示すフラグを含むことを特徴とする装置。
【請求項９】
請求項１記載の無線装置であって、
前記ＰＳＩは、該ＰＳＩが前の送信から変更されたことを示すフラグを含むことを特徴とする装置。
【請求項１０】
音声及び映像プログラムデータを無線により受信するよう構成されるモバイル端末であって、
少なくとも１つのマルチキャストＩＰアドレスと関連するＰＳＩとから構成され、ＰＡＴ及びＰＭＴを含む１以上の各パケットにフォーマット化されたデータを有する送信ストリームを受信する手段と、
ＲＴＰデータフローに従って、一意的なトランスポートパケットへの１以上のマルチキャストＩＰアドレスの割当てに基づき前記ＰＳＩを逆多重化する手段と、
マルチキャストアドレスを抽出する手段と、
前記マルチキャストアドレスに関連する送信ストリームを受信する手段と、
から構成されることを特徴とする端末。
【請求項１１】
請求項１０記載のモバイル端末であって、
前記受信する手段は、ＩＥＥＥ８０２．１１規格に従ってデータを受信する手段から構成されることを特徴とする端末。
【請求項１２】
ＭＰＥＧ−２  ＴＳをＩＰベースＲＴＰ／ＵＤＰ／ＩＰスタックに変換する方法であって、
少なくとも１つのＰＩＤと関連するＰＳＩとから構成され、ＰＡＴ及びＰＭＴを含む各パケットにフォーマット化されたデータを有する送信ストリームを受信するステップと、
一意的なトランスポートパケットへの１以上のＰＩＤの割当てに基づき、前記ＰＳＩを逆多重化するステップと、
ＲＴＰデータフローに従って、前記ＰＳＩを再構成するステップと、
前記ＲＴＰデータフローをマルチキャストアドレスを有するＩＰパケットにカプセル化するステップと、
再構成されたトランスポートパケットをＷＬＡＮを介し通信するステップと、
から構成されることを特徴とする方法。
【請求項１３】
ＭＰＥＧ−２  ＴＳをＩＰベースＲＴＰ／ＵＤＰ／ＩＰスタックに変換する方法であって、
少なくとも１つのＰＩＤと関連するＰＳＩとから構成され、ＰＡＴ及びＰＭＴを含む各パケットにフォーマット化されたデータを有する送信ストリームを受信するステップと、
ＲＴＰデータフローに従って、一意的なトランスポートパケットへの１以上のＰＩＤの割当てに基づき、前記ＰＳＩを逆多重化するステップと、
マルチキャストアドレスを抽出するステップと、
前記マルチキャストアドレスに関連する映像プログラムを構成するステップと、
から構成されることを特徴とする方法。
【請求項１４】
パケット化され、パケットベースネットワークを介しパケットシーケンスにより送信されたデジタル圧縮された映像ストリームを復号する方法であって、
少なくとも１つのマルチキャストＩＰアドレスと関連するＰＳＩと関連付けされ、ＰＡＴ及びＰＭＴを含むパケットを受信するステップと、
ＲＴＰデータフローに従って、一意的なトランスポートパケットへのＰＩＤの割当てに基づき、前記ＰＳＩに関連する送信パケットを決定するステップと、
マルチキャストアドレスを抽出する手段と、
前記マルチキャストアドレスに関連する送信ストリームを受信する手段と、
から構成されることを特徴とする方法。
【請求項１５】
ＩＰマルチキャストアドレスを含む少なくとも１つの第１フィールドと、
ＰＡＴと関連するＰＭＴを表す第２フィールドと、
ＲＴＰヘッドを表すデータを含む第３フィールドと、
プログラムを表すデータを含む第４フィールドと、
を含む１つのパケットから構成されるグループから選択される１以上のデータ構造を格納するＭＰＥＧ−２をＩＰベースＲＴＰ／ＵＤＰ／ＩＰスタックに変換することを特徴とするコンピュータ可読媒体。
【請求項１６】
請求項１５記載の変換のためのコンピュータ可読媒体であって、
前記ＰＳＩはさらに、該ＰＳＩが前の送信から不変であることを示すフラグを含むことを特徴とする媒体。
【請求項１７】
請求項１５記載の変換のためのコンピュータ可読媒体であって、
前記ＰＳＩはさらに、該ＰＳＩが前の送信から変更されたことを示すフラグを含むことを特徴とする媒体。
【発明の詳細な説明】
【発明の詳細な説明】
【０００１】
本出願は、２００３年１月９日に出願された米国仮出願第６０／４３９，０９３号の優先権を主張する。
【０００２】
１．発明の技術分野
本発明は、一般に音声及び映像プログラムを無線ローカルエリアネットワーク対応装置に配信する方法及び装置に関する。
【０００３】
２．関連技術の説明
本発明は、インターネットなどのグローバルネットワークや有線ローカルエリアネットワークなどの他のネットワークおよびモバイル装置に無線通信を提供する従来のローカルエリアネットワークアクセスポイントを規定するＷＬＡＮ仕様に関する。限定的受信配信に用いられる無線受信ポイントはシンプルなシステムのセットトップボックスを含むかもしれないが、商業的な再配信システムでは、トランスコーダ／マルチプレクサ／デマルチプレクサ（ＴＭＤ）がローカルビデオサーバと共に機能するかもしれない。
【０００４】
図１は、本発明を実現するのに適した一例となるデジタル映像音声システムを示す。ヘッドエンドにおいて、マルチプル映像音声コンテンツストリームがデジタルフォーマットに変換され（典型的には、ＭＰＥＧ−２規格に従って）、衛星を介し受信アンテナまたはセットトップボックスと呼ばれる受信機やＴＭＤなどの他の適切な手段に付属する他の適切な手段に送信される。米国特許第６，５１０，５１９号は、チューナ、復調器、デコーダ、トランスポートデマルチプレクサ、マイクロプロセッサ、プログラムメモリ、ビデオピクチャメモリ、ＭＰＥＧビデオデコーダ、ディスプレイ、スマートカードなどを含むセットトップボックス及びヘッドエンドを利用する典型的なシステムを開示している。大部分のデジタル配信システムデータストリームは、セキュリティのため送信機において符号化及びスクランブル処理され、受信機において解読及び復号処理が行われると、システムはメモリにビデオコンポジット画像を構成し、音声コンポーネントと同期した所望の画像をモニタ上に表示する。プログラムのスクランブル解除に加えて、一般には、受信機がプログラムを受信することが許可されているか確認するため、さらなる認証が与えられる。
【０００５】
さらに、図１に示されるように、ローカルビデオサーバと共に動作するＴＭＤは、ビデオＬＡＮや無線アクセスポイントとさらなる通信を行うよう設計及び構成され、図示された例では、ダウンライン受信機に映像及び音声コンテンツの送信に必要な同期信号を含む逆多重化された映像及び音声送信ストリームを提供する。
【０００６】
「ホットスポット（ｈｏｔ  ｓｐｏｔ）」（ホテルのロビー、空港、ショッピングモール、カフェなど）で用いられるＷＬＡＮ技術は、多くのネットワークサービスプロバイダを魅了するＷＬＡＮ対応モバイル装置にライブの無線テレビ放送を提供する。現在、これらの大容量トラフィックのホットスポットでは、テレビ装置が予め設定されたチャンネル（ＣＮＮ、ＦＯＸ、ＣＢＳなど）にチューニングされ、視聴者は異なるチャンネルを選択する余地はない。本発明の方法を利用すると、ＷＬＡＮ構成及びＷＬＡＮ対応装置は、利用可能な配信されているテレビプログラムの中から視聴者が選択したテレビプログラムを受信することができる。
【０００７】
現在、テレビ放送局は、デジタル圧縮されたＭＰＥＧ−２ストリーム形式によりプログラムを配信している。これらのストリームは、衛星やケーブルネットワークなどの固定遅延ネットワークを介した送信のためのＭＰＥＧ−２トランスポートストリーム（ＴＳ）にパケット化される。これらのストリームは、ホットスポットにおいて受信されると、ＩＰベースＷＬＡＮを介し再配信される。ＷＬＡＮプロトコルと互換性を備えるため、トランスポートストリームからＩＰパケットに変換されることが必要とされる。
【０００８】
ＭＰＥＧ２トランスポートストリームは、多重化された圧縮音声／映像プログラム群と共に関連するプログラム情報とから構成される。このようなＭＰＥＧ２トランスポートストリームが、衛星、地上波及びケーブルネットワークにより配信される。受信機（セットトップボックスやＴＭＤなど）が、トランスポートストリーム全体（複数のプログラム）を受信し、トランスポートストリームの逆多重化及び復号化を行い、最終的には、ユーザの選択にしたがって特定の音声／映像プログラムを生成する。
【０００９】
イーサネット（登録商標）ローカルエリアネットワークによりＭＰＥＧ２  ＴＳを配信する方法は、ＵＤＰ（Ｕｎｉｖｅｒｓａｌ  Ｄａｔａｇｒａｍ  Ｐｒｏｔｏｃｏｌ）やＩＰマルチキャスト／ブロードキャストプロトコル（専用ＩＰマルチキャスティングＩＰアドレスやＩＧＭＰ（Ｉｎｔｅｒｎｅｔ  Ｇｒｏｕｐ  Ｍａｎａｇｅｍｅｎｔ  Ｐｒｏｔｏｃｏｌ）などのマルチキャスグループにより用いられるプロトコルなど）を介しＭＰＥＧ２  ＴＳパケットを搬送するというものである。これらの技術は、受信端末においてＭＰＥＧ２  ＴＳを逆多重化するのにかなりの処理パワーを必要とする。端末がＰＤＡや携帯電話などのモバイル装置であるＷＬＡＮでは、電力消費やＣＰＵ処理パワーは、保存を要する重要なリソースである。
【００１０】
映像配信サービスのため、ＭＰＥＧ−２  ＴＳパケットをＩＰパケットに変換することは、ＴＳの特徴を特別に配慮する必要がある。ＭＰＥＧ−２  ＴＳプロトコルは、ケーブルや衛星ネットワークなどの固定遅延ネットワークを介しデジタル圧縮された音声及び映像ストリームを搬送するよう構成されている。トランスポートストリーム形式による音声及び映像コンテンツに加えて、もとになるプログラムに関する情報が、所望のプログラムの選択において受信機に資するように、同一のトランスポートストリームにより搬送される。このような情報は、関連するパケット識別子（ＰＩＤ）により特定される複数のＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔａｂｌｅ）及びＰＡＴ（Ｐｒｏｇｒａｍ  Ｍａｐ  Ｔａｂｌｅ）を有するＰＳＩ（Ｐｒｏｇｒａｍ  Ｓｐｅｃｉｆｉｃ  Ｉｎｆｏｒｍａｔｉｏｎ）と呼ばれる。
【００１１】
ＩＰネットワークにおいてサービスを配信するため、ＭＰＥＧ−２  ＴＳパケットをＩＰパケットに変換するとき、受信機はプログラムにリンクした追加情報を特別に考慮する必要がある。データ変換の結果は、関連するサブネットワークのすべてのホストが予め設定することなくデータを受信するように、周知のＩＰアドレス及びポートを介し通信を行うよう構成される必要がある。変換されたデータは、受信機が迅速にプログラム情報をキャプチャし、過度な遅延なくプログラムにチューニングすることができるように、最小インターバルで送信される必要がある。変換されたデータは、割当てられたスペクトル内に帯域幅を保持するため、可能な限り狭いチャネル帯域幅を用いて送信される必要がある。最後の２つの要求は相反する課題である。設計のトレードオフは、これら相反する課題をシステマチックにバランスさせる必要がある。ＩＰベースネットワークでは、映像または音声パケットをカプセル化するため、ＵＤＰ／ＩＰを介したＲＴＰ（Ｒｅａｌ  Ｔｉｍｅ  Ｐｒｏｔｏｃｏｌ）が利用される。このＲＴＰ／ＵＤＰ／ＩＰプロトコルスタックは、ＭＰＥＧ−２  ＴＳの構成と同様のプロトコルヘッダに埋め込まれた多数の特徴を有する。明確に構成された変換により、ＭＰＥＧ−２  ＴＳとＲＴＰ／ＵＤＰ／ＩＰスタックとを比較し、（１）低減されたオーバヘッドや最小帯域幅が重要となる限定されたチャネル容量を有するＷＬＡＮと、（２）リアルタイムでの配信アプリケーションを受信することが可能となるように、ＰＤＡや携帯電話のための入力映像／音声ストリームの処理の簡単化を実現する変換処理を確実にする必要がある。
【００１２】
ＷＬＡＮ配信システムは、ＭＰＥＧ−２  ＴＳにより搬送される複数のテレビプログラムの送信及び処理を行い、当該プログラムをＷＬＡＮカバーエリア内のＷＬＡＮ対応装置に再配信するようにしてもよい。衛星トランスポンダから、受信式は固定サイズのトランスポートパケットから構成されるＭＰＥＧ−２トランスポートストリームを受信する。Ｄ．Ｈｏｆｆｍａｎらによる「ＲＴＰ  Ｐａｙｌｏａｄ  Ｆｏｒｍａｔ  ｆｏｒ  ＭＰＥＧ１／ＭＰＥＧ２  Ｖｉｄｅｏ」（ＩＥＴＦ  ＲＦＣ２２５０，１９９８年１月）に示されるように、これらのトランスポートパケットは、ＲＴＰペイロードに直接カプセル化され、ＩＰベースＷＬＡＮを介し搬送することができる。このアプローチは以下の欠点を有する。すなわち、それはトランスポートストリームを処理（逆多重化）するのに受信機に依存している。モバイル端末では、ＣＰＵパワーは限定的であり、映像及び音声復号化及び表示処理などの他の重要なタスクに専用とされるべきである。さらに、受信機が要求するかどうかに関係なく、すべてのトランスポートパケットがＲＴＰペイロードを介し搬送されるため、帯域幅リソースが浪費される。
［発明の概要］
本発明では、ＭＰＥＧ−２  ＴＳからＷＬＡＮにおけるサービスを配信するためのＩＰベースＲＴＰ／ＵＤＰ／ＩＰスタックへの新規の変換により、すべての変換機能がＴＭＤなどの受信機において実行されることを可能にする。本発明は、ＷＬＡＮなどのＩＰネットワークを介し映像及び音声を提供する最終的な送信先にトランスポートストリームに含まれるプログラムを効率的に配信するためのＩＰベースＭＰＥＧ−２配信サービスに利用するため、ＭＰＥＧ−２トランスポートストリームをＩＰプロトコルに変換する装置及び方法を提供する。本発明は、無線ネットワークを介した配信前にＭＰＥＧ−２形式のデータを逆多重化及び変換し、意図された各無線受信機がトランスポートストリームにおいて利用可能なすべてのプログラムの受信及び処理を行うのでなく、固有のプログラムを決定し、それにより当該プログラムに関連するパケットのみを処理することを可能にすることからなるトランスポートストリームの前処理を実行する。本発明は、ＭＰＥＧ−２トランスポートストリーム全体を送信するのに必要な帯域幅を減少させるという効果を有する。さらに、ネットワーク内の逆多重化は、所望のビット送信レートでのＭＰＥＧ−２プログラムストリームの再符号化を可能にする。
【００１３】
ここで開示された本発明は、少なくとも１つのＰＩＤと関連するＰＳＩとから構成される各パケット（主に、ＰＡＴ、ＰＭＴ及びＣＡＴデータ）を含むにフォーマット化されたデータを有する送信ストリームを受信する手段と、一意的なトランスポートストリームパケットへの関連するＰＩＤの割当てに基づき、前記ＰＳＩを逆多重化する手段と、ＲＴＰデータフローに従って、前記ＰＳＩを再構成する手段と、前記ＲＴＰデータフローをマルチキャストアドレスを有するＩＰパケットにカプセル化する手段と、ＷＬＡＮを介し再構成されたトランスポートストリームを通信する手段とから構成される。また、本発明は、本発明に関連する手段を満足することが可能な任意のメディアサーバ（一般に、トランスコーダと呼ばれる）において実現されてもよい。このようなメディアサーバは、ＩＥＥＥ８０２．１１規格に従う無線アクセスポイント、セットトップボックス、ＴＭＤなどの装置を含むものであってもよい。
【００１４】
本発明はさらに、映像ＷＬＡＮから構成される通信手段と、関連する各ＰＭＴのマルチキャストＩＰアドレスを挿入する手段を有するＰＳＩを再構成する手段とを開示する。ＰＭＴが挿入されたマルチキャストＩＰアドレスを有すると、本発明は、対応するＣＲＣ（Ｃｙｃｌｉｃａｌ  Ｒｅｄｕｎｄａｎｃｙ  Ｃｈｅｃｋ）を計算することからなる。一実施例では、ＰＳＩはＰＡＴとＰＭＴから構成され、これにより、ＰＳＩはマルチキャストＩＰアドレスが格納される記述子フィールドを有するようになる。ＰＳＩはまた、ＰＳＩの状態が前の送信から不変であることを示すヌルフラグとして呼ばれる機能を有する。ＰＳＩが前の送信から変更されると、当該フラグの状態は、ＰＳＩ状態が変更されたことを示すよう変更される。
【００１５】
本発明によると、映像ＷＬＡＮから送信ストリームを受信する任意のモバイル装置は、少なくとも１つの再構成されたＰＩＤと関連するＰＳＩとを受信する機能と、ＲＴＰデータフローに従ってトランスポートパケットへのＰＩＤの割当てに基づき再構成されたＰＳＩを逆多重化する手段と、挿入されたマルチキャストアドレスを抽出する手段と、挿入されたマルチキャストアドレスに関連する送信ストリームを受信する手段とから構成される。このような受信機は、テレビ受信機、無線アクセス装置（例えば、以下に限定されるものではないが、ＩＥＥＥ８０２．１１規格やＨｉｐｅｒｌａｎ２規格において指定される）、ＰＤＡ及び他のコンピュータ技術形態を含む本発明を実行する手段を提供することが可能な任意の装置を有するようにしてもよい。
【００１６】
ここで開示された本発明の実施例には、ＭＰＥＧ−２  ＴＳをＩＰベースＲＴＰ／ＵＤＰ／ＩＰスタックに変換する方法であって、少なくとも１つのＰＩＤと関連するＰＳＩとから構成される各パケットにフォーマット化されたデータを有する送信ストリームを受信するステップと、一意的なトランスポートストリームパケットへのＰＩＤの割当てに基づき、前記ＰＳＩを逆多重化するステップと、ＲＴＰデータフローに従って、前記ＰＳＩを再構成するステップと、前記ＲＴＰデータフローをマルチキャストアドレスにカプセル化するステップと、対応するＣＲＣを計算するステップとから構成される方法が含まれる。
【００１７】
新たなＰＳＩがＲＴＰデータフローに従って構成され、ＲＴＰがマルチキャストアドレスにカプセル化されたとき、新たなトランスポートストリームがＷＬＡＮを介し送信される。
【００１８】
ここで開示される本発明は、ＭＰＥＧ−２  ＴＳをＩＰベースＲＴＰ／ＵＤＰ／ＩＰスタックに変換する方法であって、少なくとも１つのＰＩＤと関連するＰＳＩとから構成さる各パケットにフォーマット化されたデータを有する送信ストリームを受信するステップと、ＲＴＰデータフローに従って一意的なトランスポートストリームパケットへのＰＩＤの割当てに基づき、前記ＰＳＩを逆多重化する手段と、マルチキャストアドレスを抽出する手段と、マルチキャストアドレスに関連する送信ストリームを受信する手段とから構成される方法が含まれる。
【００１９】
本発明の実施例はまた、ＩＰマルチキャストアドレスを含む少なくとも１つの第１フィールドと、ＰＡＴと関連するＰＭＴ（１）を表す第２フィールドと、ＲＴＰヘッドを表すデータを含む第３フィールドと、プログラムを表すデータを含む第４フィールドとを含む１つのパケットから構成されるグループから選択される１以上のデータ構造を格納するＭＰＥＧ−２をＩＰベースＲＴＰ／ＵＤＰ／ＩＰスタックに変換することを特徴とするコンピュータ可読媒体が含まれる。
［本発明の詳細な説明］
説明される図面では、回路及び関連するブロックと矢印は、電気信号及び／またはソフトウェアモジュールを送信する付属の配線またはデータバス及び電気回路として実現可能な本発明によるプロセスの機能を表す。あるいは、１以上の付属の矢印は、特に本発明の方法または装置がデジタルプロセスとして実現されるときには、ソフトウェアルーチン間の通信（データフローなど）を表すかもしれない。
【００２０】
図１の従来技術は、オーディオビジュアルプログラミングを供給するデジタル配信システム１００を概略的に示す。すべてのデジタル配信システムデータストリームは、セキュリティのため、すなわち、認証された加入者のみが送信されるプログラムの視聴が可能となることを保証するため、符号化またはスクランブル処理された映像、音声及びタイミング情報を含む。
【００２１】
デジタル配信システムでは、ユーザは映像及び音声情報に加えて、デジタル映像及び音声データの解読及びアセンブリングを可能にするため、スクランブル解除キーを復号するのに必要な暗号化された制御ワードを解読するのに必要な使用鍵を含む資格制御メッセージ（ｅｎｔｉｔｌｅｍｅｎｔ  ｃｏｎｔｒｏｌ  ｍｅｓｓａｇｅ）などの各種管理制御メッセージを受信する。解読が行われると、システムは典型的にはＭＰＥＧ−２規格に従ってメモリに映像コンポジット画像を構成し、所望の画像をディスプレイ上に表示する。
【００２２】
図１によると、ヘッドエンド１１０は、送信機１０２から衛星１０４を介し限定受信ユーザへのテレビサービスのための受信エンドにある受信アンテナ１０６に送信するため、エンコーダ、パケット化装置及びマルチプレクサを有するサブシステム１１３を用いて、変調器１１４により変調される映像及び音声コンテンツをデジタルフォーマット化する。
【００２３】
この受信エンドは、典型的には、電気的に受信アンテナ１０６に接続させるローカルビデオサーバ１２０と協調するＴＭＤ１２３である。ＴＭＤ１２３は、受信した信号を復調し、選択パケットを各種制御、データ及び状態サブシステムにルーティングすることにより、多数のパケット化ストリームを処理する中央処理ユニット（図示せず）に復調した信号を出力する復調器（図示せず）を有する。例えば、典型的には、選択されたパケット化映像音声ストリームは、ＮＴＳＣ、ＰＡＬまたはＳＥＣＡＭフォーマットに従い機能するテレビ１５０、ＩＥＥＥ８０２．１１または他の適用可能な無線ネットワーキング規格に従うラップトップコンピュータ、携帯電話または携帯情報端末（ＰＤＡ）などの装置のための受信装置として用いられる無線ステーション１４０への出力に適したフォーマットに変換するためのトランスデューサ（図示せず）に送信される。無線受信装置は、ラップトップコンピュータ、携帯電話、ＰＤＡ装置などのモバイル装置を示す無線ステーション１４０を表すものであってもよい。従って、ステーションは、認証、認証解除、プライバシー及びデータ送信などの各種サービスを提供するＩＥＥＥ８０２．１１に準拠したモバイル、ポータブルまたは静止などのあらゆるステーションであってもよい。ＨｉｐｅｒＬａｎ２などの他のＷＬＡＮ装置が、無線送信のために利用されてもよい。
【００２４】
図１及び２を参照するに、圧縮されていない映像及び音声からＭＰＥＧ−２  ＴＳを生成するプロセスは、ヘッドエンド１１０の複数のプログラム２０２から開始される。各プログラム２０２は、少なくとも１つの未圧縮エレメンタリ映像信号２３０と少なくとも１つの未圧縮エレメンタリ音声信号２３２から構成される。プログラム１０４の複数の映像（異なる視野のためなど）及び音声（異なる言語のためなど）エレメンタリストリームが、現在の商業用配信規格において許容されている。デジタル化された音声及び映像信号２０２の各々は、映像エンコーダ２３３（ａ）と音声エンコーダ２３２（ｂ）から構成されるエンコーダにより処理され、ＰＡＴ（Ｐｒｏｇｒａｍ  Ａｓｓｏｃｉａｔｉｏｎ  Ｔａｂｌｅ）２０５ａ、ＰＭＴ（Ｐｒｏｇｒａｍ  Ｍａｐ  Ｔａｂｌｅ）２０６ａ、ＮＩＴ（Ｎｅｔｗｏｒｋ  Ｉｎｆｏｒｍａｔｉｏｎ  Ｔａｂｌｅ）２０８及びＣＡＴ（Ｃｏｎｄｉｔｉｏｎａｌ  Ａｃｃｅｓｓ  Ｔａｂｌｅ）２１０を含む関連するＰＳＩ（Ｐｒｏｇｒａｍ  Ｓｐｅｃｉｆｉｃ  Ｉｎｆｏｒｍａｔｉｏｎ）２０３ａが含まれるように、パケット化２３４（ａ）と２３４（ｂ）及び多重化２３５される。多重化２３５されたトランスポートストリーム２３６は、複数のプログラム２０２の特定のプログラム情報を有する。各トランスポートパケットは、あるエレメンタリストリーム（映像、音声またはＰＳＩ２０３ａ）に属する。パケット識別子（ＰＩＤ）２０４ａは、対応する各エレメンタリストリームをアドレス指定するのに利用される。
【００２５】
サブシステム１１３により生成されるような構成されたトランスポートストリーム２３６は、ＭＰＥＧ−２  ＴＳフォーマットによる送信及び配信のため、変調器１１４により適切な搬送信号に変調される。配信通信の当業者は、トランスポートストリーム２３６がローカルマルチメディアサーバ及び関連する送信ライン（図示せず）を介し送信されてもよいということを認識しているであろう。
【００２６】
ＴＭＤ１２３は、トランスポートストリーム２３６において送信されるプログラム２０２に関する情報を提供する異なるテーブルなどのＰＳＩ２０３ａ情報を含むＭＰＥＧ−２  ＴＳフォーマットによるトランスポートパケット１０５を受信する。図２Ａでは、逆多重化プロセス２４０は、トランスポートストリーム２３６が搬送するプログラム２０２、ＰＭＴ２０６ａに対応するいくつかのＰＭＴ２０６ｂ及びＰＡＴ２０５ａに対応するＰＡＴ２０５ｂを階層的関係において解体及び再構成する。ＰＡＴは常にＰＩＤ＝０により識別される。ＰＡＴ２０５ｂでは、プログラム２０２（１）、２０２（２）〜２０２（ｎ）などのすべてのプログラムがリストされている。さらに、各プログラムはＰＡＴ２０５ｂのプログラムに関連するＰＩＤ２０４ａに対応するＰＩＤ２０４ｂを有する特定のＰＭＴ２０６ｂに関連付けされている。
【００２７】
ヘッドエンド１１０から受信されるすべてのプログラム２０２が、必ずしもＷＬＡＮ配信サービスにより再配信されるとは限らない。従って、所望されないエレメンタリストリームは処理から破棄され、処理時間とＷＬＡＮ帯域幅を低減することができる。コンテンツの暗号化／再暗号化が配信において必要でない場合、ＭＰＥＧ−２  ＴＳのＣＡＴ２１０は、本発明の実現形態では無視されてもよい。
【００２８】
デマルチプレクサ２４０において、（ＰＡＴ）２０５ｂ、（ＰＭＴ）２０６ｂ、（ＮＩＴ）２０８ｂａ及びＷＬＡＮ配信サービスのためのあらゆるエレメンタリストリーム２１２を含む階層的関係（ＰＳＩ）２０３ｂを再構成すると、ＴＭＰ１２３は、プログラム２０２ｂの各配信エレメンタリストリーム２１２をＲＴＰトラフィックデータフローに変換する。ＲＴＰパケット２４９は、例えば、ＩＰアドレス２５０と２５２のマルチキャスト処理などのアドレスのマルチキャスト処理によりカプセル化される。インターネット通信の当業者は、ＷＬＡＮ１６０を介しパケット２４９により通知されるようなエレメンタリストリームを送信するのに利用される。
【００２９】
プログラム２０２のＭＰＥＧ−２映像音声エレメンタリストリーム２６０がパケット２４９などのＲＴＰペイロードにより搬送されるとき、映像と音声は異なるＲＴＰペイロードタイプを有する個々のＲＴＰトラフィックフローにカプセル化されてもよい。映像と音声を分離するこのカプセル化は、受信機がリップ同期のため映像と音声を同期化する必要がある。他のカプセル化は、マルチキャスト処理のため単一のＲＴＰトラフィックフローへの同一のプログラムに属する束ねられた映像及び音声エレメンタリストリームを提案している。この束ねられたカプセル化は、映像と音声とのコヒーレントな同期化を提供する。映像及び音声の単一のＲＴＰトラフィックフローへのこの束ねられたカプセル化が好ましい。
【００３０】
配信アクセスポイント１４５に接続するすべてのホストがプログラム選択のためＰＳＩ２０３ａを受信することを保証するため、ＰＳＩ２０３は、配信プログラムを選択するのにユーザを支援するオーディオビジュアルストリームにより送信される必要がある。この課題を実現するのに２つのアプローチがある。
【００３１】
第１のアプローチは、各自のもとのフォーマットによりＰＳＩ２０３ａから導出されたＰＳＩ２０３ｂテーブルを周知のマルチキャストアドレス２５０に直接変換する。ＭＰＥＧ−２  ＴＳ及びＩＰネットワークで用いられることなるアドレス指定スキームにより、トランスコーダ１２３は、マルチキャストするＩＰアドレス２５０と２５２をそれに関連するＰＭＴ２０６ｂの各プログラムに対し挿入する必要がある。
【００３２】
マルチキャストするＩＰアドレス２５０と２５２がＰＭＴ２０６ｂに挿入されるとき、これらマルチキャストＩＰアドレス２５０と２５２を格納するのに追加バイトスペースが必要とされる。ＰＭＴ２０６の記述子フィールド２５３を利用して、マルチキャストＩＰアドレス２５０と２５２の格納及び搬送を行うことができる。マルチキャストＩＰアドレスをＰＭＴ２０６ｂに挿入した後、ＰＭＴ２０６ｂのＣＲＣ２５７がＰＭＴ２０６ｂの変更により再計算される必要がある。ＰＡＴ２０５ｂとＰＭＴ２０６ｂ情報が、周知のマルチキャストアドレス２５０を用いてＵＤＰ／ＩＰフォーマットにより搬送される新たなプログラム固有情報ＰＳＩパケット２５４を生成するよう処理される。
【００３３】
第２のアプローチは、ＷＬＡＮベース映像配信サービスに適した新たなＰＳＩプロトコルを規定することである。ＰＳＩプロトコルは、周知の同一のマルチキャストアドレスを介し搬送され、ＷＬＡＮ１６０のカバーエリア内のすべてのホストに送信される。第２のアプローチは、ＰＳＩ２０３ｂに専用データをサポートする手段を設ける。何れのアプローチにおいても、ＰＳＩ２０３ｂを搬送するパケットは、エレメンタリストリーム２６２を搬送するパケットと区別するため、ＰＳＩパケットと呼ばれる。
【００３４】
受信機の処理時間を低減させるため、このようなプログラム情報がＴＳの逐次的送信中に不変であるとき（ＰＡＴとＰＭＴの変更がない）、ＰＳＩパケット２５１の用意されているビット２５６が、状態に応じてＰＳＩなどが直前の送信から同じまま、または変更されたことを示す新たなフラグ２５６として借用されるようにしてもよい。直近の送信から変更が生じている場合、新たなフラグ２５６がセットされる。そうでない場合、新たなフラグ２５６はセットされないままである。
【００３５】
モバイル装置１４０はまず、周知の配信アドレス２５０と２５２にカプセル化されたＰＳＩパケット２５１と２５８を処理し、各プログラム２０２とそれらの対応するマルチキャストアドレス２５０と２５２のエレメンタリストリーム２６２のリストを含むプログラムマップを構成するため、プログラム固有情報を復元する。モバイル装置１４０は、新たなフラグ２５６がセットされない状態を維持する限り、以降のＰＳＩパケット２５１と２５８を無視するようにしてもよい。新たなフラグ２５６が受信したＰＳＩパケット２５１の状態を変更すると、プログラムマップがクライアントにおいて再構成される必要がある。ユーザがプログラム２０２を視聴するようリクエストすると、モバイル装置１４０は、プログラムマップからマルチキャストするＩＰアドレス２５０と２５２を抽出し、当該マルチキャストＩＰアドレス２５０と２５２に関連するＩＰパケット２４９のみに応答する。ユーザが異なるプログラム２０２に切り替えをすると（ユーザがテレビの視聴チャンネルを変更するなどすると）、モバイル装置１４０はまずプログラムマップから関連するプログラム情報を特定し、プログラム２０２に関連するマルチキャストアドレス２５０と２５２を抽出し、選択されたマルチキャストアドレス２５０と２５２を宛先とするパケットに応答する。このようにして、モバイル装置１４０は各種プログラム２０２を選択する。上記プロセスの実現がソフトウェアまたはハードウェアにより実現されてもよいということは当業者には理解されるであろう。
【００３６】
映像及び音声ＴＳパケットの変換では、トランスポートパケットヘッダは、ＴＳヘッダ２３９とＲＴＰヘッダ２６０の両方の冗長フィールドにより変換中に削除される。ＴＳヘッダでは、配信のための関連するフィールドは連続的カウンタとＰＣＲ（Ｐｒｏｇｒａｍ  Ｃｌｏｃｋ  Ｒｅｆｅｒｅｎｃｅ）である。ＰＣＲは、ＴＳヘッダ２３９の任意的な適応化フィールドに挿入される。この連続的カウンタは、受信機がパケットの損失を検出するのに利用される。しかしながら、シーケンス番号と呼ばれるフィールドが、同様の役割を担うＲＴＰヘッダ２６０において特定される。ＰＣＲは、固定遅延ネットワークの受信機と送信機のクロックを正確に同期化するのに利用される。このクロック同期化は、ＲＴＰヘッダ２６０のタイムスタンプなどの他の手段により簡素化されてもよい。
【００３７】
ＭＰＥＧ−２トランスポートストリーム２３６では、エレメンタリストリームは通常はパケット化されたエレメンタリストリーム（ＰＥＳ）にカプセル化される。ＰＥＳヘッダは、ソースエンコーダにより設定されるような各種レート、タイミング及びデータ記述情報を搬送する。１つの選択肢として、ＰＥＳヘッダにおいて搬送されるすべての情報を確保するため、ＰＥＳパケット全体をＲＴＰパケットに直接変換するというものがある。しかしながら、ＰＥＳヘッダの大部分のフィールドは、任意的なものである。ＰＥＳヘッダにおいて配信サービスに最も関連するフィールドは、ＰＴＳ（Ｐｒｅｓｅｎｔａｔｉｏｎ  Ｔｉｍｅ  Ｓｔａｍｐ）である。ＭＰＥＧ−２画像または音声フレームのＰＴＳは、ＲＴＰヘッダ２６０のタイムスタンプフィールドにより搬送することが可能である。ＲＴＰパケット２５２は、同一のプログラムからの画像または音声フレームパケットを搬送し、同一のタイムスタンプを有するべきである。
【００３８】
ＲＴＰ／ＵＤＰ／ＩＰヘッダ（トータルで４０バイト）のオーバヘッドを低減するため、標準的な圧縮スキームが適用されてもよい。この圧縮アルゴリズムは、ＵＤＰチェックサムが送信されないときには２バイトに、そうでない場合には４バイトに合成したＲＴＰ／ＵＤＰ／ＩＰの４０バイトのヘッダを圧縮する。
【００３９】
本発明の一実施例には、少なくとも１つのＰＩＤ２０６ａと関連するＰＳＩを含む各パケットにフォーマット化されたデータを有する送信ストリームを受信するステップと、ＲＴＰデータフローに従う一意的なトランスポートパケットへのＰＩＤ２０６ａの割当てに基づき、ＰＳＩを逆多重化するステップと、マルチキャストアドレスを抽出するステップと、マルチキャストアドレスに関連する映像プログラムを構成するステップとから構成されるＭＰＥＧ−２  ＴＳをＩＰベースＲＴＰ／ＵＤＰ／ＩＰスタック２５２に変換する方法が含まれる。
【００４０】
図２を参照するに、本発明の一実施例には、ＩＰマルチキャストアドレス２５４を含む少なくとも１つの第１フィールドと、ＰＡＳＴ２５１とＰＭＴ２５８（１）などの少なくとも１つの関連するＰＭＴを表す第２フィールド２５１ａと、ＲＴＰヘッド２６０（１）を表すデータを含む２６０（１）などの第３フィールドと、２６２（１）などのプログラムを表すデータを含む第４フィールド２６２ａとを有する各パケットから構成されるグループから選択される１以上のデータ構造を格納した、ＭＰＥＧ−２フォーマット化トランスポートストリーム２３７をＩＰベースＲＴＰ／ＵＤＰ／ＩＰスタック２５２に変換するコンピュータ可読媒体２５０と２５２が含まれる。
【００４１】
図示されるような本発明の構成は、単なる好適な実施例であるということが理解されるべきである。パーツの機能及び構成には各種変更が可能であり、例示及び説明のため、等価な手段に置換されてもよく、以下の請求項に規定されるような本発明の趣旨及び範囲から逸脱することなく、ある特徴が他の特徴とは独立に利用されてもよい。
【図面の簡単な説明】
【００４２】
【図１】図１は、ＷＬＡＮ映像配信システムのブロック図である。
【図２Ａ】図２Ａは、トランスポートストリームのプログラムコンテンツの分配処理のための本発明のブロック図である。
【図２Ｂ】図２Ｂは、トランスポートストリームのプログラムコンテンツの分配処理のための本発明のブロック図である。
【図２Ｃ】図２Ｃは、トランスポートストリームのプログラムコンテンツの分配処理のための本発明のブロック図である。
【図１】
2007525038.tif 000003
2007525038.tif 000004
2007525038.tif 000005
【手続補正書】
【提出日】平成16年8月6日(2004.8.6)
【手続補正１】
【補正対象書類名】明細書
【補正対象項目名】全文
【補正方法】変更
【補正の内容】
【発明の詳細な説明】
【発明の詳細な説明】
【０００１】
本出願は、２００３年１月９日に出願された米国仮出願第６０／４３９，０９３号の優先権を主張する。
【０００２】
１．発明の技術分野
本発明は、一般に音声及び映像プログラムを無線ローカルエリアネットワーク対応装置に配信する方法及び装置に関する。
【０００３】
２．関連技術の説明
本発明は、インターネットなどのグローバルネットワークや有線ローカルエリアネットワークなどの他のネットワークおよびモバイル装置に無線通信を提供する従来のローカルエリアネットワークアクセスポイントを規定するＷＬＡＮ仕様に関する。限定的受信配信に用いられる無線受信ポイントはシンプルなシステムのセットトップボックスを含むかもしれないが、商業的な再配信システムでは、トランスコーダ／マルチプレクサ／デマルチプレクサ（ＴＭＤ）がローカルビデオサーバと共に機能するかもしれない。
【０００４】
図１は、本発明を実現するのに適した一例となるデジタル映像音声システムを示す。ヘッドエンドにおいて、マルチプル映像音声コンテンツストリームがデジタルフォーマットに変換され（典型的には、ＭＰＥＧ−２規格に従って）、衛星を介し受信アンテナまたはセットトップボックスと呼ばれる受信機やＴＭＤなどの他の適切な手段に付属する他の適切な手段に送信される。米国特許第６，５１０，５１９号は、チューナ、復調器、デコーダ、トランスポートデマルチプレクサ、マイクロプロセッサ、プログラムメモリ、ビデオピクチャメモリ、ＭＰＥＧビデオデコーダ、ディスプレイ、スマートカードなどを含むセットトップボックス及びヘッドエンドを利用する典型的なシステムを開示している。大部分のデジタル配信システムデータストリームは、セキュリティのため送信機において符号化及びスクランブル処理され、受信機において解読及び復号処理が行われると、システムはメモリにビデオコンポジット画像を構成し、音声コンポーネントと同期した所望の画像をモニタ上に表示する。プログラムのスクランブル解除に加えて、一般には、受信機がプログラムを受信することが許可されているか確認するため、さらなる認証が与えられる。
【０００５】
さらに、図１に示されるように、ローカルビデオサーバと共に動作するＴＭＤ１２３は、ビデオＬＡＮや無線アクセスポイント（ＡＰ）１４５とさらなる通信を行うよう設計及び構成され、図示された例では、ダウンライン受信機に映像及び音声コンテンツの送信に必要な同期信号を含む逆多重化された映像及び音声送信ストリームを提供する。
【０００６】
「ホットスポット（ｈｏｔ  ｓｐｏｔ）」（ホテルのロビー、空港、ショッピングモール、カフェなど）で用いられるＷＬＡＮ技術は、多くのネットワークサービスプロバイダを魅了するＷＬＡＮ対応モバイル装置にライブの無線テレビ放送を提供する。現在、これらの大容量トラフィックのホットスポットでは、テレビ装置が予め設定されたチャンネル（ＣＮＮ、ＦＯＸ、ＣＢＳなど）にチューニングされ、視聴者は異なるチャンネルを選択する余地はない。本発明の方法を利用すると、ＷＬＡＮ構成及びＷＬＡＮ対応装置は、利用可能な配信されているテレビプログラムの中から視聴者が選択したテレビプログラムを受信することができる。
【０００７】
現在、テレビ放送局は、デジタル圧縮されたＭＰＥＧ−２ストリーム形式によりプログラムを配信している。これらのストリームは、衛星やケーブルネットワークなどの固定遅延ネットワークを介した送信のためのＭＰＥＧ−２トランスポートストリーム（ＴＳ）にパケット化される。これらのストリームは、ホットスポットにおいて受信されると、ＩＰベースＷＬＡＮを介し再配信される。ＷＬＡＮプロトコルと互換性を備えるため、トランスポートストリームからＩＰパケットに変換されることが必要とされる。
【０００８】
ＭＰＥＧ２トランスポートストリームは、多重化された圧縮音声／映像プログラム群と共に関連するプログラム情報とから構成される。このようなＭＰＥＧ２トランスポートストリームが、衛星、地上波及びケーブルネットワークにより配信される。受信機（セットトップボックスやＴＭＤなど）が、トランスポートストリーム全体（複数のプログラム）を受信し、トランスポートストリームの逆多重化及び復号化を行い、最終的には、ユーザの選択にしたがって特定の音声／映像プログラムを生成する。
【０００９】
イーサネット（登録商標）ローカルエリアネットワークによりＭＰＥＧ２  ＴＳを配信する方法は、ＵＤＰ（Ｕｎｉｖｅｒｓａｌ  Ｄａｔａｇｒａｍ  Ｐｒｏｔｏｃｏｌ）やＩＰマルチキャスト／ブロードキャストプロトコル（専用ＩＰマルチキャスティングＩＰアドレスやＩＧＭＰ（Ｉｎｔｅｒｎｅｔ  Ｇｒｏｕｐ  Ｍａｎａｇｅｍｅｎｔ  Ｐｒｏｔｏｃｏｌ）などのマルチキャスグループにより用いられるプロトコルなど）を介しＭＰＥＧ２  ＴＳパケットを搬送するというものである。これらの技術は、受信端末においてＭＰＥＧ２  ＴＳを逆多重化するのにかなりの処理パワーを必要とする。端末がＰＤＡや携帯電話などのモバイル装置であるＷＬＡＮでは、電力消費やＣＰＵ処理パワーは、保存を要する重要なリソースである。
【００１０】
映像配信サービスのため、ＭＰＥＧ−２  ＴＳパケットをＩＰパケットに変換することは、ＴＳの特徴を特別に配慮する必要がある。ＭＰＥＧ−２  ＴＳプロトコルは、ケーブルや衛星ネットワークなどの固定遅延ネットワークを介しデジタル圧縮された音声及び映像ストリームを搬送するよう構成されている。トランスポートストリーム形式による音声及び映像コンテンツに加えて、もとになるプログラムに関する情報が、所望のプログラムの選択において受信機に資するように、同一のトランスポートストリームにより搬送される。このような情報は、関連するパケット識別子（ＰＩＤ）により特定される複数のＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔａｂｌｅ）及びＰＡＴ（Ｐｒｏｇｒａｍ  Ｍａｐ  Ｔａｂｌｅ）を有するＰＳＩ（Ｐｒｏｇｒａｍ  Ｓｐｅｃｉｆｉｃ  Ｉｎｆｏｒｍａｔｉｏｎ）と呼ばれる。
【００１１】
ＩＰネットワークにおいてサービスを配信するため、ＭＰＥＧ−２  ＴＳパケットをＩＰパケットに変換するとき、受信機はプログラムにリンクした追加情報を特別に考慮する必要がある。データ変換の結果は、関連するサブネットワークのすべてのホストが予め設定することなくデータを受信するように、周知のＩＰアドレス及びポートを介し通信を行うよう構成される必要がある。変換されたデータは、受信機が迅速にプログラム情報をキャプチャし、過度な遅延なくプログラムにチューニングすることができるように、最小インターバルで送信される必要がある。変換されたデータは、割当てられたスペクトル内に帯域幅を保持するため、可能な限り狭いチャネル帯域幅を用いて送信される必要がある。最後の２つの要求は相反する課題である。設計のトレードオフは、これら相反する課題をシステマチックにバランスさせる必要がある。ＩＰベースネットワークでは、映像または音声パケットをカプセル化するため、ＵＤＰ／ＩＰを介したＲＴＰ（Ｒｅａｌ  Ｔｉｍｅ  Ｐｒｏｔｏｃｏｌ）が利用される。このＲＴＰ／ＵＤＰ／ＩＰプロトコルスタックは、ＭＰＥＧ−２  ＴＳの構成と同様のプロトコルヘッダに埋め込まれた多数の特徴を有する。明確に構成された変換により、ＭＰＥＧ−２  ＴＳとＲＴＰ／ＵＤＰ／ＩＰスタックとを比較し、（１）低減されたオーバヘッドや最小帯域幅が重要となる限定されたチャネル容量を有するＷＬＡＮと、（２）リアルタイムでの配信アプリケーションを受信することが可能となるように、ＰＤＡや携帯電話のための入力映像／音声ストリームの処理の簡単化を実現する変換処理を確実にする必要がある。
【００１２】
ＷＬＡＮ配信システムは、ＭＰＥＧ−２  ＴＳにより搬送される複数のテレビプログラムの送信及び処理を行い、当該プログラムをＷＬＡＮカバーエリア内のＷＬＡＮ対応装置に再配信するようにしてもよい。衛星トランスポンダから、受信式は固定サイズのトランスポートパケットから構成されるＭＰＥＧ−２トランスポートストリームを受信する。Ｄ．Ｈｏｆｆｍａｎらによる「ＲＴＰ  Ｐａｙｌｏａｄ  Ｆｏｒｍａｔ  ｆｏｒ  ＭＰＥＧ１／ＭＰＥＧ２  Ｖｉｄｅｏ」（ＩＥＴＦ  ＲＦＣ２２５０，１９９８年１月）に示されるように、これらのトランスポートパケットは、ＲＴＰペイロードに直接カプセル化され、ＩＰベースＷＬＡＮを介し搬送することができる。このアプローチは以下の欠点を有する。すなわち、それはトランスポートストリームを処理（逆多重化）するのに受信機に依存している。モバイル端末では、ＣＰＵパワーは限定的であり、映像及び音声復号化及び表示処理などの他の重要なタスクに専用とされるべきである。さらに、受信機が要求するかどうかに関係なく、すべてのトランスポートパケットがＲＴＰペイロードを介し搬送されるため、帯域幅リソースが浪費される。
［発明の概要］
本発明では、ＭＰＥＧ−２  ＴＳからＷＬＡＮにおけるサービスを配信するためのＩＰベースＲＴＰ／ＵＤＰ／ＩＰスタックへの新規の変換により、すべての変換機能がＴＭＤなどの受信機において実行されることを可能にする。本発明は、ＷＬＡＮなどのＩＰネットワークを介し映像及び音声を提供する最終的な送信先にトランスポートストリームに含まれるプログラムを効率的に配信するためのＩＰベースＭＰＥＧ−２配信サービスに利用するため、ＭＰＥＧ−２トランスポートストリームをＩＰプロトコルに変換する装置及び方法を提供する。本発明は、無線ネットワークを介した配信前にＭＰＥＧ−２形式のデータを逆多重化及び変換し、意図された各無線受信機がトランスポートストリームにおいて利用可能なすべてのプログラムの受信及び処理を行うのでなく、固有のプログラムを決定し、それにより当該プログラムに関連するパケットのみを処理することを可能にすることからなるトランスポートストリームの前処理を実行する。本発明は、ＭＰＥＧ−２トランスポートストリーム全体を送信するのに必要な帯域幅を減少させるという効果を有する。さらに、ネットワーク内の逆多重化は、所望のビット送信レートでのＭＰＥＧ−２プログラムストリームの再符号化を可能にする。
【００１３】
ここで開示された本発明は、少なくとも１つのＰＩＤと関連するＰＳＩとから構成される各パケット（主に、ＰＡＴ、ＰＭＴ及びＣＡＴデータ）を含むにフォーマット化されたデータを有する送信ストリームを受信する手段と、一意的なトランスポートストリームパケットへの関連するＰＩＤの割当てに基づき、前記ＰＳＩを逆多重化する手段と、ＲＴＰデータフローに従って、前記ＰＳＩを再構成する手段と、前記ＲＴＰデータフローをマルチキャストアドレスを有するＩＰパケットにカプセル化する手段と、ＷＬＡＮを介し再構成されたトランスポートストリームを通信する手段とから構成される。また、本発明は、本発明に関連する手段を満足することが可能な任意のメディアサーバ（一般に、トランスコーダと呼ばれる）において実現されてもよい。このようなメディアサーバは、ＩＥＥＥ８０２．１１規格に従う無線アクセスポイント、セットトップボックス、ＴＭＤなどの装置を含むものであってもよい。
【００１４】
本発明はさらに、映像ＷＬＡＮから構成される通信手段と、関連する各ＰＭＴのマルチキャストＩＰアドレスを挿入する手段を有するＰＳＩを再構成する手段とを開示する。ＰＭＴが挿入されたマルチキャストＩＰアドレスを有すると、本発明は、対応するＣＲＣ（Ｃｙｃｌｉｃａｌ  Ｒｅｄｕｎｄａｎｃｙ  Ｃｈｅｃｋ）を計算することからなる。一実施例では、ＰＳＩはＰＡＴとＰＭＴから構成され、これにより、ＰＳＩはマルチキャストＩＰアドレスが格納される記述子フィールドを有するようになる。ＰＳＩはまた、ＰＳＩの状態が前の送信から不変であることを示すヌルフラグとして呼ばれる機能を有する。ＰＳＩが前の送信から変更されると、当該フラグの状態は、ＰＳＩ状態が変更されたことを示すよう変更される。
【００１５】
本発明によると、映像ＷＬＡＮから送信ストリームを受信する任意のモバイル装置は、少なくとも１つの再構成されたＰＩＤと関連するＰＳＩとを受信する機能と、ＲＴＰデータフローに従ってトランスポートパケットへのＰＩＤの割当てに基づき再構成されたＰＳＩを逆多重化する手段と、挿入されたマルチキャストアドレスを抽出する手段と、挿入されたマルチキャストアドレスに関連する送信ストリームを受信する手段とから構成される。このような受信機は、テレビ受信機、無線アクセス装置（例えば、以下に限定されるものではないが、ＩＥＥＥ８０２．１１規格やＨｉｐｅｒｌａｎ２規格において指定される）、ＰＤＡ及び他のコンピュータ技術形態を含む本発明を実行する手段を提供することが可能な任意の装置を有するようにしてもよい。
【００１６】
ここで開示された本発明の実施例には、ＭＰＥＧ−２  ＴＳをＩＰベースＲＴＰ／ＵＤＰ／ＩＰスタックに変換する方法であって、少なくとも１つのＰＩＤと関連するＰＳＩとから構成される各パケットにフォーマット化されたデータを有する送信ストリームを受信するステップと、一意的なトランスポートストリームパケットへのＰＩＤの割当てに基づき、前記ＰＳＩを逆多重化するステップと、ＲＴＰデータフローに従って、前記ＰＳＩを再構成するステップと、前記ＲＴＰデータフローをマルチキャストアドレスにカプセル化するステップと、対応するＣＲＣを計算するステップとから構成される方法が含まれる。
【００１７】
新たなＰＳＩがＲＴＰデータフローに従って構成され、ＲＴＰがマルチキャストアドレスにカプセル化されたとき、新たなトランスポートストリームがＷＬＡＮを介し送信される。
【００１８】
ここで開示される本発明は、ＭＰＥＧ−２  ＴＳをＩＰベースＲＴＰ／ＵＤＰ／ＩＰスタックに変換する方法であって、少なくとも１つのＰＩＤと関連するＰＳＩとから構成さる各パケットにフォーマット化されたデータを有する送信ストリームを受信するステップと、ＲＴＰデータフローに従って一意的なトランスポートストリームパケットへのＰＩＤの割当てに基づき、前記ＰＳＩを逆多重化する手段と、マルチキャストアドレスを抽出する手段と、マルチキャストアドレスに関連する送信ストリームを受信する手段とから構成される方法が含まれる。
【００１９】
本発明の実施例はまた、ＩＰマルチキャストアドレスを含む少なくとも１つの第１フィールドと、ＰＡＴと関連するＰＭＴ（１）を表す第２フィールドと、ＲＴＰヘッドを表すデータを含む第３フィールドと、プログラムを表すデータを含む第４フィールドとを含む１つのパケットから構成されるグループから選択される１以上のデータ構造を格納するＭＰＥＧ−２をＩＰベースＲＴＰ／ＵＤＰ／ＩＰスタックに変換することを特徴とするコンピュータ可読媒体が含まれる。
［本発明の詳細な説明］
説明される図面では、回路及び関連するブロックと矢印は、電気信号及び／またはソフトウェアモジュールを送信する付属の配線またはデータバス及び電気回路として実現可能な本発明によるプロセスの機能を表す。あるいは、１以上の付属の矢印は、特に本発明の方法または装置がデジタルプロセスとして実現されるときには、ソフトウェアルーチン間の通信（データフローなど）を表すかもしれない。
【００２０】
図１の従来技術は、オーディオビジュアルプログラミングを供給するデジタル配信システム１００を概略的に示す。すべてのデジタル配信システムデータストリームは、セキュリティのため、すなわち、認証された加入者のみが送信されるプログラムの視聴が可能となることを保証するため、符号化またはスクランブル処理された映像、音声及びタイミング情報を含む。
【００２１】
デジタル配信システムでは、ユーザは映像及び音声情報に加えて、デジタル映像及び音声データの解読及びアセンブリングを可能にするため、スクランブル解除キーを復号するのに必要な暗号化された制御ワードを解読するのに必要な使用鍵を含む資格制御メッセージ（ｅｎｔｉｔｌｅｍｅｎｔ  ｃｏｎｔｒｏｌ  ｍｅｓｓａｇｅ）などの各種管理制御メッセージを受信する。解読が行われると、システムは典型的にはＭＰＥＧ−２規格に従ってメモリに映像コンポジット画像を構成し、所望の画像をディスプレイ上に表示する。
【００２２】
図１によると、ヘッドエンド１１０は、送信機１０２から衛星１０４を介し限定受信ユーザへのテレビサービスのための受信エンドにある受信アンテナ１０６に送信するため、エンコーダ、パケット化装置及びマルチプレクサを有するサブシステム１１３を用いて、変調器１１４により変調される映像及び音声コンテンツをデジタルフォーマット化する。
【００２３】
この受信エンドは、典型的には、電気的に受信アンテナ１０６に接続させるローカルビデオサーバ１２０と協調するＴＭＤ１２３である。ＴＭＤ１２３は、受信した信号を復調し、選択パケットを各種制御、データ及び状態サブシステムにルーティングすることにより、多数のパケット化ストリームを処理する中央処理ユニット（図示せず）に復調した信号を出力する復調器（図示せず）を有する。例えば、典型的には、選択されたパケット化映像音声ストリームは、ＮＴＳＣ、ＰＡＬまたはＳＥＣＡＭフォーマットに従い機能するテレビ１５０、ＩＥＥＥ８０２．１１または他の適用可能な無線ネットワーキング規格に従うラップトップコンピュータ、携帯電話または携帯情報端末（ＰＤＡ）などの装置のための受信装置として用いられる無線ステーション１４０への出力に適したフォーマットに変換するためのトランスデューサ（図示せず）に送信される。無線受信装置は、ラップトップコンピュータ、携帯電話、ＰＤＡ装置などのモバイル装置を示す無線ステーション１４０を表すものであってもよい。従って、ステーションは、認証、認証解除、プライバシー及びデータ送信などの各種サービスを提供するＩＥＥＥ８０２．１１に準拠したモバイル、ポータブルまたは静止などのあらゆるステーションであってもよい。ＨｉｐｅｒＬａｎ２などの他のＷＬＡＮ装置が、無線送信のために利用されてもよい。
【００２４】
図１及び２を参照するに、圧縮されていない映像及び音声からＭＰＥＧ−２  ＴＳを生成するプロセスは、ヘッドエンド１１０の複数のプログラム２０２から開始される。各プログラム２０２は、少なくとも１つの未圧縮エレメンタリ映像信号２３０と少なくとも１つの未圧縮エレメンタリ音声信号２３２から構成される。プログラム２１２の複数の映像（異なる視野のためなど）及び音声（異なる言語のためなど）エレメンタリストリームが、現在の商業用配信規格において許容されている。プログラム２０２のデジタル化された音声及び映像信号の各々は、映像エンコーダ２３３（ａ）と音声エンコーダ２３２（ｂ）から構成されるエンコーダにより処理され、ＰＡＴ（Ｐｒｏｇｒａｍ  Ａｓｓｏｃｉａｔｉｏｎ  Ｔａｂｌｅ）２０５ａ、ＰＭＴ（Ｐｒｏｇｒａｍ  Ｍａｐ  Ｔａｂｌｅ）２０６ａ、ＮＩＴ（Ｎｅｔｗｏｒｋ  Ｉｎｆｏｒｍａｔｉｏｎ  Ｔａｂｌｅ）２０８及びＣＡＴ（Ｃｏｎｄｉｔｉｏｎａｌ  Ａｃｃｅｓｓ  Ｔａｂｌｅ）２１０を含む関連するＰＳＩ（Ｐｒｏｇｒａｍ  Ｓｐｅｃｉｆｉｃ  Ｉｎｆｏｒｍａｔｉｏｎ）２０３ａが含まれるように、パケット化２３４（ａ）と２３４（ｂ）及び多重化２３５される。多重化２３５されたトランスポートストリームパケット２３６は、複数のプログラム２０２の特定のプログラム情報を有する。各トランスポートパケットは、あるエレメンタリストリーム（映像、音声またはＰＳＩ２０３ａ）に属する。
【００２５】
サブシステム１１３により生成されるような構成されたトランスポートストリームパケット２３６は、ＭＰＥＧ−２  ＴＳフォーマットによる送信及び配信のため、変調器１１４により適切な搬送信号に変調される。配信通信の当業者は、トランスポートストリームパケット２３６がローカルマルチメディアサーバ及び関連する送信ライン（図示せず）を介し送信されてもよいということを認識しているであろう。
【００２６】
ＴＭＤ１２３は、トランスポートストリームパケット２３６において送信されるプログラム２０２に関する情報を提供する異なるテーブルなどのＰＳＩ２０３ａ情報を含むＭＰＥＧ−２  ＴＳフォーマットによるトランスポートパケット１０５（図２Ａ）を受信する。図２Ａを参照するに、逆多重化プロセス２４０は、トランスポートストリーム２３６が搬送するプログラム２０２、ＰＭＴ２０６ａに対応するいくつかのＰＭＴ２０６ｂ（図２Ｂ）及びＰＡＴ２０５ａを階層的関係において解体及び再構成する。ＰＡＴは常にＰＩＤ＝０により識別される。ＰＡＴ２０５ａでは、プログラム２０２（１）、２０２（２）〜２０２（ｎ）などのすべてのプログラムがリストされている。さらに、各プログラムは特定のＰＭＴ２０６ｂに関連付けされ、ＰＡＴ２０５ａのプログラム２０２と関連付けされている。
【００２７】
ヘッドエンド１１０から受信されるすべてのプログラム２０２が、必ずしもＷＬＡＮ配信サービスにより再配信されるとは限らない。従って、所望されないエレメンタリストリームは処理から破棄され、処理時間とＷＬＡＮ帯域幅を低減することができる。コンテンツの暗号化／再暗号化が配信において必要でない場合、ＭＰＥＧ−２  ＴＳのＣＡＴ２１０は、本発明の実現形態では無視されてもよい。
【００２８】
デマルチプレクサ２４０（図２Ａ）において、（ＰＡＴ）２０５ａ、（ＰＭＴ）２０６ａ、（ＮＩＴ）２０８及びＷＬＡＮ配信サービスのためのあらゆるエレメンタリストリーム２１２を含む階層的関係（ＰＳＩ）２０３ｂを再構成すると、ＴＭＰ１２３は、プログラム２０２ｂの各配信エレメンタリストリーム２１２をＲＴＰトラフィックデータフローに変換する。ＲＴＰパケット２４９は、例えば、ＩＰアドレス２５０と２５２のマルチキャスト処理などのアドレスのマルチキャスト処理によりカプセル化される。インターネット通信の当業者は、ＷＬＡＮ１６０を介しパケット２４９により通知されるようなエレメンタリストリームを送信するのに利用される。
【００２９】
プログラム２０２のＭＰＥＧ−２映像音声エレメンタリストリーム２６０がパケット２４９などのＲＴＰペイロードにより搬送されるとき、映像と音声は異なるＲＴＰペイロードタイプを有する個々のＲＴＰトラフィックフローにカプセル化されてもよい。映像と音声を分離するこのカプセル化は、受信機がリップ同期のため映像と音声を同期化する必要がある。他のカプセル化は、マルチキャスト処理のため単一のＲＴＰトラフィックフローへの同一のプログラムに属する束ねられた映像及び音声エレメンタリストリームを提案している。この束ねられたカプセル化は、映像と音声とのコヒーレントな同期化を提供する。映像及び音声の単一のＲＴＰトラフィックフローへのこの束ねられたカプセル化が好ましい。
【００３０】
無線配信アクセスポイント１４５に接続するすべてのホストがプログラム選択のためＰＳＩ２０３ａを受信することを保証するため、ＰＳＩ２０３ａは、配信プログラムを選択するのにユーザを支援するオーディオビジュアルストリームにより送信される必要がある。この課題を実現するのに２つのアプローチがある。
【００３１】
第１のアプローチは、各自のもとのフォーマットによりＰＳＩ２０３ａから導出されたＰＳＩ２０３ｂテーブルを周知のマルチキャストアドレス２５０に直接変換する。ＭＰＥＧ−２  ＴＳ及びＩＰネットワークで用いられることなるアドレス指定スキームにより、トランスコーダ１２３は、マルチキャストするＩＰアドレス２５０と２５２をそれに関連するＰＭＴ２０６ｂの各プログラムに対し挿入する必要がある。
【００３２】
マルチキャストするＩＰアドレス２５０と２５２がＰＭＴ２０６ｂに挿入されるとき、これらマルチキャストＩＰアドレス２５０と２５２を格納するのに追加バイトスペースが必要とされる。ＰＭＴ２０６の記述子フィールド２５３を利用して、マルチキャストＩＰアドレス２５０と２５２の格納及び搬送を行うことができる。マルチキャストＩＰアドレスをＰＭＴ２０６ｂに挿入した後、ＰＭＴ２０６ｂのＣＲＣ２５７がＰＭＴ２０６ｂの変更により再計算される必要がある。ＰＡＴ２０５ａとＰＭＴ２０６ｂ情報が、周知のマルチキャストアドレス２５０を用いてＵＤＰ／ＩＰフォーマットにより搬送される新たなプログラム固有情報ＰＳＩパケット２５４を生成するよう処理される。
【００３３】
第２のアプローチは、ＷＬＡＮベース映像配信サービスに適した新たなＰＳＩプロトコルを規定することである。ＰＳＩプロトコルは、周知の同一のマルチキャストアドレスを介し搬送され、ＷＬＡＮ１６０のカバーエリア内のすべてのホストに送信される。第２のアプローチは、ＰＳＩ２０３ｂに専用データをサポートする手段を設ける。何れのアプローチにおいても、ＰＳＩ２０３ｂを搬送するパケットは、エレメンタリストリーム２６２を搬送するパケットと区別するため、ＰＳＩパケットと呼ばれる。
【００３４】
受信機の処理時間を低減させるため、このようなプログラム情報がＴＳの逐次的送信中に不変であるとき（ＰＡＴとＰＭＴの変更がない）、ＰＳＩパケット２５１の用意されているビット２５６が、状態に応じてＰＳＩなどが直前の送信から同じまま、または変更されたことを示す新たなフラグ２５６として借用されるようにしてもよい。直近の送信から変更が生じている場合、新たなフラグ２５６がセットされる。そうでない場合、新たなフラグ２５６はセットされないままである。
【００３５】
モバイル装置１４０はまず、周知の配信アドレス２５０と２５２にカプセル化されたＰＳＩパケット２５１と２５８を処理し、各プログラム２０２とそれらの対応するマルチキャストアドレス２５０と２５２のエレメンタリストリーム２６２のリストを含むプログラムマップを構成するため、プログラム固有情報を復元する。モバイル装置１４０は、新たなフラグ２５６がセットされない状態を維持する限り、以降のＰＳＩパケット２５１と２５８を無視するようにしてもよい。新たなフラグ２５６が受信したＰＳＩパケット２５１の状態を変更すると、プログラムマップがクライアントにおいて再構成される必要がある。ユーザがプログラム２０２を視聴するようリクエストすると、モバイル装置１４０は、プログラムマップからマルチキャストするＩＰアドレス２５０と２５２を抽出し、当該マルチキャストＩＰアドレス２５０と２５２に関連するＩＰパケット２４９のみに応答する。ユーザが異なるプログラム２０２に切り替えをすると（ユーザがテレビの視聴チャンネルを変更するなどすると）、モバイル装置１４０はまずプログラムマップから関連するプログラム情報を特定し、プログラム２０２に関連するマルチキャストアドレス２５０と２５２を抽出し、選択されたマルチキャストアドレス２５０と２５２を宛先とするパケットに応答する。このようにして、モバイル装置１４０は各種プログラム２０２を選択する。上記プロセスの実現がソフトウェアまたはハードウェアにより実現されてもよいということは当業者には理解されるであろう。
【００３６】
映像及び音声ＴＳパケットの変換では、トランスポートパケットヘッダは、ＴＳヘッダ２３９とＲＴＰヘッダ２６０の両方の冗長フィールドにより変換中に削除される。ＴＳヘッダでは、配信のための関連するフィールドは連続的カウンタとＰＣＲ（Ｐｒｏｇｒａｍ  Ｃｌｏｃｋ  Ｒｅｆｅｒｅｎｃｅ）である。ＰＣＲは、ＴＳヘッダ２３９の任意的な適応化フィールドに挿入される。この連続的カウンタは、受信機がパケットの損失を検出するのに利用される。しかしながら、シーケンス番号と呼ばれるフィールドが、同様の役割を担うＲＴＰヘッダ２６０において特定される。ＰＣＲは、固定遅延ネットワークの受信機と送信機のクロックを正確に同期化するのに利用される。このクロック同期化は、ＲＴＰヘッダ２６０のタイムスタンプなどの他の手段により簡素化されてもよい。
【００３７】
ＭＰＥＧ−２トランスポートストリーム２３６では、エレメンタリストリームは通常はパケット化されたエレメンタリストリーム（ＰＥＳ）にカプセル化される。ＰＥＳヘッダは、ソースエンコーダにより設定されるような各種レート、タイミング及びデータ記述情報を搬送する。１つの選択肢として、ＰＥＳヘッダにおいて搬送されるすべての情報を確保するため、ＰＥＳパケット全体をＲＴＰパケットに直接変換するというものがある。しかしながら、ＰＥＳヘッダの大部分のフィールドは、任意的なものである。ＰＥＳヘッダにおいて配信サービスに最も関連するフィールドは、ＰＴＳ（Ｐｒｅｓｅｎｔａｔｉｏｎ  Ｔｉｍｅ  Ｓｔａｍｐ）である。ＭＰＥＧ−２画像または音声フレームのＰＴＳは、ＲＴＰヘッダ２６０のタイムスタンプフィールドにより搬送することが可能である。ＲＴＰパケット２５２は、同一のプログラムからの画像または音声フレームパケットを搬送し、同一のタイムスタンプを有するべきである。
【００３８】
ＲＴＰ／ＵＤＰ／ＩＰヘッダ（トータルで４０バイト）のオーバヘッドを低減するため、標準的な圧縮スキームが適用されてもよい。この圧縮アルゴリズムは、ＵＤＰチェックサムが送信されないときには２バイトに、そうでない場合には４バイトに合成したＲＴＰ／ＵＤＰ／ＩＰの４０バイトのヘッダを圧縮する。
【００３９】
本発明の一実施例には、少なくとも１つのＰＩＤ２０６ａと関連するＰＳＩを含む各パケットにフォーマット化されたデータを有する送信ストリームを受信するステップと、ＲＴＰデータフローに従う一意的なトランスポートパケットへのＰＩＤ２０６ａの割当てに基づき、ＰＳＩを逆多重化するステップと、マルチキャストアドレスを抽出するステップと、マルチキャストアドレスに関連する映像プログラムを構成するステップとから構成されるＭＰＥＧ−２  ＴＳをＩＰベースＲＴＰ／ＵＤＰ／ＩＰスタック２５２に変換する方法が含まれる。
【００４０】
図２を参照するに、本発明の一実施例には、ＩＰマルチキャストアドレス２５０を含む少なくとも１つの第１フィールドと、ＰＡＳＴ２５１とＰＭＴ２５８（１）などの少なくとも１つの関連するＰＭＴを表す第２フィールドと、ＲＴＰヘッド２６０（１）を表すデータを含む２６０（１）などの第３フィールドと、２６２（１）などのプログラムを表すデータを含む第４フィールド２６２ａとを有する各パケットから構成されるグループから選択される１以上のデータ構造を格納した、ＭＰＥＧ−２フォーマット化トランスポートストリームパケット２３６をＩＰベースＲＴＰ／ＵＤＰ／ＩＰスタック２５２に変換するコンピュータ可読媒体２５０と２５２が含まれる。
【００４１】
図示されるような本発明の構成は、単なる好適な実施例であるということが理解されるべきである。パーツの機能及び構成には各種変更が可能であり、例示及び説明のため、等価な手段に置換されてもよく、以下の請求項に規定されるような本発明の趣旨及び範囲から逸脱することなく、ある特徴が他の特徴とは独立に利用されてもよい。
【図面の簡単な説明】
【００４２】
【図１】図１は、ＷＬＡＮ映像配信システムのブロック図である。
【図２Ａ】図２Ａは、トランスポートストリームのプログラムコンテンツの分配処理のための本発明のブロック図である。
【図２Ｂ】図２Ｂは、トランスポートストリームのプログラムコンテンツの分配処理のための本発明のブロック図である。
【図２Ｃ】図２Ｃは、トランスポートストリームのプログラムコンテンツの分配処理のための本発明のブロック図である。
【手続補正２】
【補正対象書類名】特許請求の範囲
【補正対象項目名】全文
【補正方法】変更
【補正の内容】
【特許請求の範囲】
【請求項１】
音声及び映像データを無線により送受信する装置であって、
少なくとも１つのＰＩＤと関連するＰＳＩとから構成され、ＰＡＴ、ＰＭＴ、ＣＡＴ及びＮＩＴを含む各パケットにフォーマット化されたデータを有する送信ストリームを受信する手段と、
一意的なトランスポートストリームパケットへの１以上のＰＩＤの割当てに基づき、前記ＰＳＩを逆多重化する手段と、
ＲＴＰデータフローに従って、前記ＰＳＩを再構成する手段と、
前記ＲＴＰデータフローを対応するマルチキャストアドレスを有する１以上のＩＰパケットにカプセル化する手段と、
前記再構成されたトランスポートストリームを通信する手段と、
から構成されることを特徴とする装置。
【請求項２】
請求項１記載の無線装置であって、
前記通信する手段は、ＷＬＡＮから構成されることを特徴とする装置。
【請求項３】
請求項１記載の無線装置であって、
前記ＰＳＩを再構成する手段は、関連する各ＰＭＴのマルチキャストＩＰアドレスを挿入する手段を有することを特徴とする装置。
【請求項４】
請求項３記載の無線装置であって、
前記ＰＭＴは、前記マルチキャストＩＰアドレスによりアドレス指定されるプログラムを指示することを特徴とする装置。
【請求項５】
請求項３記載の無線装置であって、
前記関連する各ＰＭＴのマルチキャストＩＰアドレスを挿入する手段は、ＣＲＣを計算する手段を有することを特徴とする装置。
【請求項６】
請求項３記載の無線装置であって、
前記ＰＳＩは、前記マルチキャストＩＰアドレスが格納される記述子フィールドを含むことを特徴とする装置。
【請求項７】
請求項３記載の無線装置であって、
前記ＰＳＩは、前記ＰＡＴと前記ＰＭＴから再生成されることを特徴とする装置。
【請求項８】
請求項１記載の無線装置であって、
前記ＰＳＩは、該ＰＳＩが前の送信から不変であることを示すフラグを含むことを特徴とする装置。
【請求項９】
請求項１記載の無線装置であって、
前記ＰＳＩは、該ＰＳＩが前の送信から変更されたことを示すフラグを含むことを特徴とする装置。
【請求項１０】
音声及び映像プログラムデータを無線により受信するよう構成されるモバイル端末であって、
少なくとも１つのマルチキャストＩＰアドレスと関連するＰＳＩとから構成され、ＰＡＴ及びＰＭＴを含む１以上の各パケットにフォーマット化されたデータを有する送信ストリームを受信する手段と、
ＲＴＰデータフローに従って、一意的なトランスポートストリームパケットへの１以上のマルチキャストＩＰアドレスの割当てに基づき前記ＰＳＩを逆多重化する手段と、
マルチキャストアドレスを抽出する手段と、
前記マルチキャストアドレスに関連する送信ストリームを受信する手段と、
から構成されることを特徴とする端末。
【請求項１１】
請求項１０記載のモバイル端末であって、
前記受信する手段は、ＩＥＥＥ８０２．１１規格に従ってデータを受信する手段から構成されることを特徴とする端末。
【請求項１２】
ＭＰＥＧ−２  ＴＳをＩＰベースＲＴＰ／ＵＤＰ／ＩＰスタックに変換する方法であって、
少なくとも１つのＰＩＤと関連するＰＳＩとから構成され、ＰＡＴ及びＰＭＴを含む各パケットにフォーマット化されたデータを有する送信ストリームを受信するステップと、
一意的なトランスポートストリームパケットへの１以上のＰＩＤの割当てに基づき、前記ＰＳＩを逆多重化するステップと、
ＲＴＰデータフローに従って、前記ＰＳＩを再構成するステップと、
前記ＲＴＰデータフローをマルチキャストアドレスを有するＩＰパケットにカプセル化するステップと、
再構成されたトランスポートパケットをＷＬＡＮを介し通信するステップと、
から構成されることを特徴とする方法。
【請求項１３】
ＭＰＥＧ−２  ＴＳをＩＰベースＲＴＰ／ＵＤＰ／ＩＰスタックに変換する方法であって、
少なくとも１つのＰＩＤと関連するＰＳＩとから構成され、ＰＡＴ及びＰＭＴを含む各パケットにフォーマット化されたデータを有する送信ストリームを受信するステップと、
ＲＴＰデータフローに従って、一意的なトランスポートパケットへの１以上のＰＩＤの割当てに基づき、前記ＰＳＩを逆多重化するステップと、
マルチキャストアドレスを抽出するステップと、
前記マルチキャストアドレスに関連する映像プログラムを構成するステップと、
から構成されることを特徴とする方法。
【請求項１４】
パケット化され、パケットベースネットワークを介しパケットシーケンスにより送信されたデジタル圧縮された映像ストリームを復号する方法であって、
少なくとも１つのマルチキャストＩＰアドレスと関連するＰＳＩと関連付けされ、ＰＡＴ及びＰＭＴを含むパケットを受信するステップと、
ＲＴＰデータフローに従って、一意的なトランスポートストリームパケットへのＰＩＤの割当てに基づき、前記ＰＳＩに関連する送信パケットを決定するステップと、
マルチキャストアドレスを抽出する手段と、
前記マルチキャストアドレスに関連する送信ストリームを受信する手段と、
から構成されることを特徴とする方法。
【請求項１５】
ＩＰマルチキャストアドレスを含む少なくとも１つの第１フィールドと、
ＰＡＴと関連するＰＭＴを表す第２フィールドと、
ＲＴＰヘッドを表すデータを含む第３フィールドと、
プログラムを表すデータを含む第４フィールドと、
を含む１つのパケットから構成されるグループから選択される１以上のデータ構造を格納するＭＰＥＧ−２をＩＰベースＲＴＰ／ＵＤＰ／ＩＰスタックに変換することを特徴とするコンピュータ可読媒体。
【請求項１６】
請求項１５記載の変換のためのコンピュータ可読媒体であって、
前記ＰＳＩはさらに、該ＰＳＩが前の送信から不変であることを示すフラグを含むことを特徴とする媒体。
【請求項１７】
請求項１５記載の変換のためのコンピュータ可読媒体であって、
前記ＰＳＩはさらに、該ＰＳＩが前の送信から変更されたことを示すフラグを含むことを特徴とする媒体。
【手続補正３】
【補正対象書類名】図面
【補正対象項目名】全図
【補正方法】変更
【補正の内容】
【図１】
2007525038.tif 000006
【図２Ａ】
2007525038.tif 000007
【図２Ｂ】
2007525038.tif 000008
【図２Ｃ】
2007525038.tif 000009
【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
音声及び映像データを無線により送受信する無線装置であって、
少なくとも１つのパケット識別子（ＰＩＤ）と、プログラム関連テーブル（ＰＡＴ）、プログラムマップテーブル（ＰＭＴ）、条件付受信テーブル（ＣＡＴ）及びネットワーク情報テーブル（ＮＩＴ）を含む関連するプログラム固有情報（ＰＳＩ）とから構成される各パケットにフォーマット化されたデータを有する送信ストリームを受信する手段と、
一意的なトランスポートパケットへの１以上のパケット識別子の割当てに基づき、前記プログラム固有情報を逆多重化する手段と、
トランスポートストリームパケットヘッダを削除する手段と、
リアルタイムプロトコル（ＲＴＰ）データフローに従って、前記プログラム固有情報を再構成する手段と、
前記リアルタイムプロトコルデータフローを対応するマルチキャストアドレスを有する１以上のインターネットプロトコル（ＩＰ）パケットにカプセル化する手段と、
前記再構成されたトランスポートストリームを通信する手段と、
から構成されることを特徴とする無線装置。
【請求項２】
請求項１記載の無線装置であって、
前記通信する手段は、無線ローカルエリアネットワーク（ＷＬＡＮ）から構成されることを特徴とする装置。
【請求項３】
請求項１記載の無線装置であって、
前記プログラム固有情報（ＰＳＩ）を再構成する手段は、関連する各プログラムマップテーブル（ＰＭＴ）のマルチキャストインターネットプロトコル（ＩＰ）アドレスを挿入する手段を有することを特徴とする装置。
【請求項４】
請求項３記載の無線装置であって、
前記プログラムマップテーブル（ＰＭＴ）は、前記マルチキャストインターネットプロトコル（ＩＰ）アドレスによりアドレス指定されるプログラムを指示することを特徴とする装置。
【請求項５】
請求項３記載の無線装置であって、
前記関連する各プログラムマップテーブル（ＰＭＴ）のマルチキャストインターネットプロトコル（ＩＰ）アドレスを挿入する手段は、ＣＲＣ（Ｃｙｃｌｉｃａｌ  Ｒｅｄｕｎｄａｎｃｙ  Ｃｈｅｃｋ）を計算する手段を有することを特徴とする装置。
【請求項６】
請求項３記載の無線装置であって、
前記ＰＳＩは、前記マルチキャストＩＰアドレスが格納される記述子フィールドを含むことを特徴とする装置。
【請求項７】
請求項３記載の無線装置であって、
前記ＰＳＩは、前記ＰＡＴと前記ＰＭＴから再生成されることを特徴とする装置。
【請求項８】
請求項１記載の無線装置であって、
前記ＰＳＩは、該ＰＳＩが前の送信から不変であることを示すフラグを含むことを特徴とする装置。
【請求項９】
請求項１記載の無線装置であって、
前記ＰＳＩは、該ＰＳＩが前の送信から変更されたことを示すフラグを含むことを特徴とする装置。
【請求項１０】
音声及び映像プログラムデータを無線により受信するよう構成されるモバイル端末であって、
少なくとも１つのマルチキャストＩＰアドレスと関連するＰＳＩとから構成され、ＰＡＴ及びＰＭＴを含む１以上の各パケットにフォーマット化されたデータを有する送信ストリームを受信する手段と、
ＲＴＰデータフローに従って、一意的なトランスポートストリームパケットへの１以上のマルチキャストＩＰアドレスの割当てに基づき前記ＰＳＩを逆多重化する手段と、
マルチキャストアドレスを抽出する手段と、
前記マルチキャストアドレスに関連する送信ストリームを受信する手段と、
から構成されることを特徴とする端末。
【請求項１１】
請求項１０記載のモバイル端末であって、
前記受信する手段は、ＩＥＥＥ８０２．１１規格に従ってデータを受信する手段から構成されることを特徴とする端末。
【請求項１２】
ＭＰＥＧ−２  ＴＳをＩＰベースＲＴＰ／ＵＤＰ／ＩＰスタックに変換する方法であって、
少なくとも１つのＰＩＤと関連するＰＳＩとから構成され、ＰＡＴ及びＰＭＴを含む各パケットにフォーマット化されたデータを有する送信ストリームを受信するステップと、
一意的なトランスポートストリームパケットへの１以上のＰＩＤの割当てに基づき、前記ＰＳＩを逆多重化するステップと、
ＲＴＰデータフローに従って、前記ＰＳＩを再構成するステップと、
前記ＲＴＰデータフローをマルチキャストアドレスを有するＩＰパケットにカプセル化するステップと、
再構成されたトランスポートパケットをＷＬＡＮを介し通信するステップと、
から構成されることを特徴とする方法。
【請求項１３】
ＭＰＥＧ−２  ＴＳをＩＰベースＲＴＰ／ＵＤＰ／ＩＰスタックに変換する方法であって、
少なくとも１つのＰＩＤと関連するＰＳＩとから構成され、ＰＡＴ及びＰＭＴを含む各パケットにフォーマット化されたデータを有する送信ストリームを受信するステップと、
ＲＴＰデータフローに従って、一意的なトランスポートパケットへの１以上のＰＩＤの割当てに基づき、前記ＰＳＩを逆多重化するステップと、
マルチキャストアドレスを抽出するステップと、
前記マルチキャストアドレスに関連する映像プログラムを構成するステップと、
から構成されることを特徴とする方法。
【請求項１４】
パケット化され、パケットベースネットワークを介しパケットシーケンスにより送信されたデジタル圧縮された映像ストリームを復号する方法であって、
少なくとも１つのマルチキャストＩＰアドレスと関連するＰＳＩと関連付けされ、ＰＡＴ及びＰＭＴを含むパケットを受信するステップと、
ＲＴＰデータフローに従って、一意的なトランスポートストリームパケットへのＰＩＤの割当てに基づき、前記ＰＳＩに関連する送信パケットを決定するステップと、
マルチキャストアドレスを抽出する手段と、
前記マルチキャストアドレスに関連する送信ストリームを受信する手段と、
から構成されることを特徴とする方法。
【請求項１５】
請求項１記載の無線装置であって、さらに、
前記音声及び映像データを格納する手段を有し、
前記音声及び映像データは、インターネットプロトコルマルチキャストアドレスを有する少なくとも１つの第１フィールド、プログラム関連テーブルと関連するプログラムマップテーブルとを表す第２フィールド、リアルタイムプロトコルヘッダを表すデータを有する第３フィールド、及びプログラムを表すデータを含む第４フィールドを含む１つのパケットからなるグループから選択された１以上のデータ構造によるコンピュータ可読媒体に格納される、
ことを特徴とする無線装置。
【請求項１６】
請求項１５記載の無線装置であって、
前記コンピュータ可読媒体はさらに、該ＰＳＩが前の送信から不変であることを示すフラグを含む前記ＰＳＩを有することを特徴とする無線装置。
【請求項１７】
請求項１５記載の無線装置であって、
前記コンピュータ可読媒体はさらに、該ＰＳＩが前の送信から変更されたことを示すフラグを含む前記ＰＳＩを有することを特徴とする無線装置。
【請求項１８】
請求項１２記載の方法であって、さらに、
前記音声及び映像データを格納するステップを有し、
前記音声及び映像データは、インターネットプロトコルマルチキャストアドレスを有する少なくとも１つの第１フィールド、プログラム関連テーブルと関連するプログラムマップテーブルとを表す第２フィールド、リアルタイムプロトコルヘッダを表すデータを有する第３フィールド、及びプログラムを表すデータを含む第４フィールドを含む１つのパケットからなるグループから選択された１以上のデータ構造によるコンピュータ可読媒体に格納される、
ことを特徴とする方法。
【請求項１９】
請求項１３記載の方法であって、さらに、
前記音声及び映像データを格納するステップを有し、
前記音声及び映像データは、インターネットプロトコルマルチキャストアドレスを有する少なくとも１つの第１フィールド、プログラム関連テーブルと関連するプログラムマップテーブルとを表す第２フィールド、リアルタイムプロトコルヘッダを表すデータを有する第３フィールド、及びプログラムを表すデータを含む第４フィールドを含む１つのパケットからなるグループから選択された１以上のデータ構造によるコンピュータ可読媒体に格納される、
ことを特徴とする方法。
【請求項２０】
請求項１４記載の方法であって、さらに、
前記音声及び映像データを格納するステップを有し、
前記音声及び映像データは、インターネットプロトコルマルチキャストアドレスを有する少なくとも１つの第１フィールド、プログラム関連テーブルと関連するプログラムマップテーブルとを表す第２フィールド、リアルタイムプロトコルヘッダを表すデータを有する第３フィールド、及びプログラムを表すデータを含む第４フィールドを含む１つのパケットからなるグループから選択された１以上のデータ構造によるコンピュータ可読媒体に格納される、
ことを特徴とする方法。
【請求項２１】
プログラムデータストリームをトランスポートパケットに変換する方法であって、
少なくとも１つのパケット識別子（ＰＩＤ）と、プログラム関連テーブル（ＰＡＴ）、プログラムマップテーブル（ＰＭＴ）、条件付受信テーブル（ＣＡＴ）及びネットワーク情報テーブル（ＮＩＴ）を含む関連するプログラム固有情報（ＰＳＩ）とから構成されるプログラムデータストリームを受信するステップと、
一意的なトランスポートパケットへの１以上のパケット識別子の割当てに基づき、前記プログラム固有情報を逆多重化するステップと、
トランスポートストリームパケットヘッダを削除するステップと、
リアルタイムプロトコル（ＲＴＰ）データフローに従って、前記関連するプログラム固有情報を再構成するステップと、
前記リアルタイムプロトコルデータフローを対応するマルチキャストアドレスを有する１以上のインターネットプロトコル（ＩＰ）パケットにカプセル化するステップと、
前記再構成されたトランスポートストリームを通信するステップと、
から構成されることを特徴とする方法。
【請求項２２】
プログラムデータストリームをトランスポートパケットに変換するシステムであって、
少なくとも１つのパケット識別子（ＰＩＤ）と、プログラム関連テーブル（ＰＡＴ）、プログラムマップテーブル（ＰＭＴ）、条件付受信テーブル（ＣＡＴ）及びネットワーク情報テーブル（ＮＩＴ）を含む関連するプログラム固有情報（ＰＳＩ）とから構成されるプログラムデータストリームを受信する手段と、
一意的なトランスポートパケットへの１以上のパケット識別子の割当てに基づき、前記プログラム固有情報を逆多重化する手段と、
トランスポートストリームパケットヘッダを削除する手段と、
リアルタイムプロトコル（ＲＴＰ）データフローに従って、前記プログラム固有情報を再構成する手段と、
前記リアルタイムプロトコルデータフローを対応するマルチキャストアドレスを有する１以上のインターネットプロトコル（ＩＰ）パケットにカプセル化する手段と、
前記再構成されたトランスポートストリームを通信する手段と、
から構成されることを特徴とするシステム。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
音声及び映像データを無線により送受信する無線装置であって、
少なくとも１つのパケット識別子（ＰＩＤ）と、プログラム関連テーブル（ＰＡＴ）、プログラムマップテーブル（ＰＭＴ）、条件付受信テーブル（ＣＡＴ）及びネットワーク情報テーブル（ＮＩＴ）を含む関連するプログラム固有情報（ＰＳＩ）とから構成される各パケットにフォーマット化されたデータを有する送信ストリームを受信する手段と、
一意的なトランスポートパケットへの１以上のパケット識別子の割当てに基づき、前記プログラム固有情報を逆多重化する手段と、
トランスポートストリームパケットヘッダを削除する手段と、
リアルタイムプロトコル（ＲＴＰ）データフローに従って、前記プログラム固有情報を再構成する手段と、
前記リアルタイムプロトコルデータフローを対応するマルチキャストアドレスを有する１以上のインターネットプロトコル（ＩＰ）パケットにカプセル化する手段と、
前記再構成されたトランスポートストリームを通信する手段と、
から構成されることを特徴とする無線装置。
【請求項２】
請求項１記載の無線装置であって、
前記通信する手段は、無線ローカルエリアネットワーク（ＷＬＡＮ）から構成されることを特徴とする装置。
【請求項３】
請求項１記載の無線装置であって、
前記プログラム固有情報（ＰＳＩ）を再構成する手段は、関連する各プログラムマップテーブル（ＰＭＴ）のマルチキャストインターネットプロトコル（ＩＰ）アドレスを挿入する手段を有することを特徴とする装置。
【請求項４】
請求項１記載の無線装置であって、
前記ＰＳＩは、該ＰＳＩが前の送信から不変であることを示すフラグを含むことを特徴とする装置。
【請求項５】
請求項１記載の無線装置であって、
前記ＰＳＩは、該ＰＳＩが前の送信から変更されたことを示すフラグを含むことを特徴とする装置。
【請求項６】
音声及び映像プログラムデータを無線により受信するよう構成されるモバイル端末であって、
少なくとも１つのマルチキャストＩＰアドレスと関連するＰＳＩとから構成され、ＰＡＴ及びＰＭＴを含む１以上の各パケットにフォーマット化されたデータを有する送信ストリームを受信する手段と、
ＲＴＰデータフローに従って、一意的なトランスポートストリームパケットへの１以上のマルチキャストＩＰアドレスの割当てに基づき前記ＰＳＩを逆多重化する手段と、
マルチキャストアドレスを抽出する手段と、
前記マルチキャストアドレスに関連する送信ストリームを受信する手段と、
から構成されることを特徴とする端末。
【請求項７】
ＭＰＥＧ−２  ＴＳをＩＰベースＲＴＰ／ＵＤＰ／ＩＰスタックに変換する方法であって、
少なくとも１つのＰＩＤと関連するＰＳＩとから構成され、ＰＡＴ及びＰＭＴを含む各パケットにフォーマット化されたデータを有する送信ストリームを受信するステップと、
一意的なトランスポートストリームパケットへの１以上のＰＩＤの割当てに基づき、前記ＰＳＩを逆多重化するステップと、
ＲＴＰデータフローに従って、前記ＰＳＩを再構成するステップと、
前記ＲＴＰデータフローをマルチキャストアドレスを有するＩＰパケットにカプセル化するステップと、
再構成されたトランスポートパケットをＷＬＡＮを介し通信するステップと、
から構成されることを特徴とする方法。
【請求項８】
ＭＰＥＧ−２  ＴＳをＩＰベースＲＴＰ／ＵＤＰ／ＩＰスタックに変換する方法であって、
少なくとも１つのＰＩＤと関連するＰＳＩとから構成され、ＰＡＴ及びＰＭＴを含む各パケットにフォーマット化されたデータを有する送信ストリームを受信するステップと、
ＲＴＰデータフローに従って、一意的なトランスポートパケットへの１以上のＰＩＤの割当てに基づき、前記ＰＳＩを逆多重化するステップと、
マルチキャストアドレスを抽出するステップと、
前記マルチキャストアドレスに関連する映像プログラムを構成するステップと、
から構成されることを特徴とする方法。
【請求項９】
パケット化され、パケットベースネットワークを介しパケットシーケンスにより送信されたデジタル圧縮された映像ストリームを復号する方法であって、
少なくとも１つのマルチキャストＩＰアドレスと関連するＰＳＩと関連付けされ、ＰＡＴ及びＰＭＴを含むパケットを受信するステップと、
ＲＴＰデータフローに従って、一意的なトランスポートストリームパケットへのＰＩＤの割当てに基づき、前記ＰＳＩに関連する送信パケットを決定するステップと、
マルチキャストアドレスを抽出する手段と、
前記マルチキャストアドレスに関連する送信ストリームを受信する手段と、
から構成されることを特徴とする方法。
【請求項１０】
請求項１記載の無線装置であって、さらに、
前記音声及び映像データを格納する手段を有し、
前記音声及び映像データは、インターネットプロトコルマルチキャストアドレスを有する少なくとも１つの第１フィールド、プログラム関連テーブルと関連するプログラムマップテーブルとを表す第２フィールド、リアルタイムプロトコルヘッダを表すデータを有する第３フィールド、及びプログラムを表すデータを含む第４フィールドを含む１つのパケットからなるグループから選択された１以上のデータ構造によるコンピュータ可読媒体に格納される、
ことを特徴とする無線装置。
【請求項１１】
請求項１０記載の無線装置であって、
前記コンピュータ可読媒体はさらに、該ＰＳＩが前の送信から不変であることを示すフラグを含む前記ＰＳＩを有することを特徴とする無線装置。
【請求項１２】
請求項１０記載の無線装置であって、
前記コンピュータ可読媒体はさらに、該ＰＳＩが前の送信から変更されたことを示すフラグを含む前記ＰＳＩを有することを特徴とする無線装置。
【請求項１３】
請求項７記載の方法であって、さらに、
前記音声及び映像データを格納するステップを有し、
前記音声及び映像データは、インターネットプロトコルマルチキャストアドレスを有する少なくとも１つの第１フィールド、プログラム関連テーブルと関連するプログラムマップテーブルとを表す第２フィールド、リアルタイムプロトコルヘッダを表すデータを有する第３フィールド、及びプログラムを表すデータを含む第４フィールドを含む１つのパケットからなるグループから選択された１以上のデータ構造によるコンピュータ可読媒体に格納される、
ことを特徴とする方法。
【請求項１４】
プログラムデータストリームをトランスポートパケットに変換する方法であって、
少なくとも１つのパケット識別子（ＰＩＤ）と、プログラム関連テーブル（ＰＡＴ）、プログラムマップテーブル（ＰＭＴ）、条件付受信テーブル（ＣＡＴ）及びネットワーク情報テーブル（ＮＩＴ）を含む関連するプログラム固有情報（ＰＳＩ）とから構成されるプログラムデータストリームを受信するステップと、
一意的なトランスポートパケットへの１以上のパケット識別子の割当てに基づき、前記プログラム固有情報を逆多重化するステップと、
トランスポートストリームパケットヘッダを削除するステップと、
リアルタイムプロトコル（ＲＴＰ）データフローに従って、前記関連するプログラム固有情報を再構成するステップと、
前記リアルタイムプロトコルデータフローを対応するマルチキャストアドレスを有する１以上のインターネットプロトコル（ＩＰ）パケットにカプセル化するステップと、
前記再構成されたトランスポートストリームを通信するステップと、
から構成されることを特徴とする方法。
【請求項１５】
プログラムデータストリームをトランスポートパケットに変換するシステムであって、
少なくとも１つのパケット識別子（ＰＩＤ）と、プログラム関連テーブル（ＰＡＴ）、プログラムマップテーブル（ＰＭＴ）、条件付受信テーブル（ＣＡＴ）及びネットワーク情報テーブル（ＮＩＴ）を含む関連するプログラム固有情報（ＰＳＩ）とから構成されるプログラムデータストリームを受信する手段と、
一意的なトランスポートパケットへの１以上のパケット識別子の割当てに基づき、前記プログラム固有情報を逆多重化する手段と、
トランスポートストリームパケットヘッダを削除する手段と、
リアルタイムプロトコル（ＲＴＰ）データフローに従って、前記プログラム固有情報を再構成する手段と、
前記リアルタイムプロトコルデータフローを対応するマルチキャストアドレスを有する１以上のインターネットプロトコル（ＩＰ）パケットにカプセル化する手段と、
前記再構成されたトランスポートストリームを通信する手段と、
から構成されることを特徴とするシステム。
【国際調査報告】
2007525038.tif 000010